(57)【要約】【課題】音声出力装置において、通知情報を適切なタイミングで表示装置に出力する。【解決手段】音声出力装置（２）は、音声を出力するスピーカ（２４）と、音声出力装置の状態を取得する制御部（２２）と、表示装置（４）に表示させる通知情報を出力する表示装置通信部（２７）とを備え、表示装置通信部は、取得した音声出力装置の状態に応じたタイミングで表示装置が通知情報を表示するように通知情報を表示装置に出力する。【選択図】図１
2019144836.tif 000002
【特許請求の範囲】
【請求項１】
音声出力装置であって、
音声を出力する音声出力部と、
当該音声出力装置の状態を取得する状態取得部と、
表示装置に表示させる通知情報を出力する通知情報出力部と
を備え、
上記通知情報出力部は、
上記状態取得部が取得した当該音声出力装置の状態に応じたタイミングで上記表示装置が上記通知情報を表示するように上記通知情報を上記表示装置に出力する
ことを特徴とする音声出力装置。
【請求項２】
上記表示装置の制御信号を出力する制御信号出力部をさらに備え、
上記制御信号出力部は、
上記表示装置の画面が非表示である場合に、上記表示装置に画面表示を開始させる制御信号を出力する
ことを特徴とする請求項１に記載の音声出力装置。
【請求項３】
上記音声出力部が出力する音声に関する関連情報を記憶する記憶部と、
ユーザの反応を示すユーザ反応情報を取得する取得部と、
上記取得部が取得したユーザの反応に応じて反応タイミングを特定し、特定した反応タイミングに応じて、上記記憶部に記憶された関連情報から、出力すべき関連情報を抽出する抽出部と、
をさらに備え、
上記通知情報出力部は、上記抽出部が抽出した関連情報を上記通知情報として上記表示装置に出力する
ことを特徴とする請求項１または２に記載の音声出力装置。
【請求項４】
請求項１から３の何れか１項に記載の音声出力装置と通信可能な表示装置であって、
上記音声出力装置から通知情報を取得した場合、
当該表示装置の画面表示を開始したときには、当該画面の全体を用いて上記通知情報を表示し、
当該表示装置の画面表示中であるときには、当該画面の一部を用いて上記通知情報を表示する
ことを特徴とする表示装置。
【請求項５】
上記通知情報を表示する場合に、事前に上記通知情報に行われた重み付けに従って、上記通知情報の表示順序または表示個数を決定する
ことを特徴とする請求項４に記載の表示装置。
【請求項６】
上記通知情報を表示する場合に、表示する時間帯またはユーザの行動履歴を参照して、上記通知情報の表示時間長を決定する
ことを特徴とする請求項４または５に記載の表示装置。
【請求項７】
上記通知情報の情報源は複数存在し、
上記情報源に応じた表示態様にて上記通知情報を表示する
ことを特徴とする請求項４から６の何れか１項に記載の表示装置。
【請求項８】
請求項１に記載の音声出力装置としてコンピュータを機能させるためのプログラムであって、上記状態取得部としてコンピュータを機能させるためのプログラム。
【請求項９】
請求項８に記載のプログラムを記録したコンピュータ読み取り可能な記録媒体。
【発明の詳細な説明】
【技術分野】
【０００１】
本発明は、音声出力装置、プログラム、および、プログラムの記録媒体に関する。
【背景技術】
【０００２】
従来、音声出力装置（スマートスピーカ）と、表示装置（テレビジョン受像機）とが通信可能に接続され、音声出力装置が、再生されたコンテンツ、放送番組に関連する情報を表示装置に通知し、表示装置が、通知されたコンテンツ、情報を表示するシステムがある。
【０００３】
例えば、特許文献１の表示システムでは、音声入力に対する検索結果を、外部の表示装置に表示させることにより、ユーザに通知する。
【先行技術文献】
【特許文献】
【０００４】
【特許文献１】特開２０１４−１３４９４号公報（２０１４年１月２３日公開）
【発明の概要】
【発明が解決しようとする課題】
【０００５】
しかしながら、音声出力装置からの通知情報を、表示装置に表示させるタイミングは、いつでもよいという訳ではない。例えば、音声出力装置でユーザがコンテンツを指定した場合、音声出力装置は当該コンテンツを出力しながら、表示装置は当該コンテンツに関する情報を表示するのが好ましい。
【０００６】
本発明の一態様は、音声出力装置において、通知情報を適切なタイミングで表示装置に出力することを目的とする。
【課題を解決するための手段】
【０００７】
上記の課題を解決するために、本発明の一態様に係る音声出力装置は、音声を出力する音声出力部と、当該音声出力装置の状態を取得する状態取得部と、表示装置に表示させる通知情報を出力する通知情報出力部とを備え、上記通知情報出力部が、上記状態取得部が取得した当該音声出力装置の状態に応じたタイミングで上記表示装置が上記通知情報を表示するように上記通知情報を上記表示装置に出力する。
【発明の効果】
【０００８】
本発明の一態様によれば、音声出力装置において、通知情報を適切なタイミングで表示装置に出力することができる。
【図面の簡単な説明】
【０００９】
【図１】本発明の実施形態１に係る情報通知システムの構成および音声出力装置のハードウェア構成を示す図である。
【図２】本発明の実施形態１に係る音声出力装置の処理を示すフローチャートである。
【図３】本発明の実施形態１の実施例１に係る制御部の機能構成を示すブロック図である。
【図４】本発明の実施形態１の実施例１に係る表示装置における、情報の表示形態を示す図である。
【発明を実施するための形態】
【００１０】
〔実施形態１〕
以下、本発明の実施形態１について、詳細に説明する。図１は、本実施形態に係る情報通知システム１の構成および音声出力装置２のハードウェア構成を示す図である。
【００１１】
（情報通知システム１の構成）
図１に示すように、情報通知システム１は、音声出力装置２、サーバ３、および、表示装置４を備えている。音声出力装置２は、人と会話したり、音楽を流したりする（音声を出力する）装置であり、例えば、スマートスピーカ、ＡＩ（Artificial Intelligence）スピーカ等である。音声出力装置２が出力する「音声」には、音楽、環境音、通知音等が含まれる。音声出力装置２は、インターネットを介してサーバ３と通信可能であり、ＬＡＮ（Local Area Network）等を介して表示装置４と通信可能である。サーバ３は、インターネットを介して音声出力装置２、および、表示装置４と通信可能である。
【００１２】
表示装置４は、放送されるコンテンツを受信して視聴可能に出力する装置であり、例えば、テレビジョン受像機である。表示装置４は、ＬＡＮ等を介して音声出力装置２と通信可能であり、インターネットを介してサーバ３と通信可能である。表示装置４と、音声出力装置２との間の通信は、インターネット経由であってもよいし、ＬＡＮ経由であってもよいし、屋内のネットワーク経由であってよい。
【００１３】
図１に示すように、音声出力装置２は、サーバ通信部２１、制御部２２、記憶部２３、スピーカ２４、マイク２５、音声処理部２６、および、表示装置通信部２７を備えている。
【００１４】
サーバ通信部２１は、サーバ３との通信を行う。制御部２２は、音声出力装置２全体を制御するものであり、ＣＰＵ（Central Processing Unit）等である。制御部２２は、サーバ通信部２１、および、表示装置通信部２７を介して、ならびに、記憶部２３から、各種情報を取得する。記憶部２３は、各部からのデータを記憶し、また、各部にデータを読み出すものであり、ＲＡＭ（Random Access Memory）、不揮発メモリ（ＨＤＤ（Hard Disk Drive）、ＳＳＤ（Solid State Drive））等である。
【００１５】
スピーカ２４は、音声を出力する。マイク２５は、音声を取得する。音声処理部２６は、音声信号を処理する。表示装置通信部２７は、表示装置４との通信を行う。
【００１６】
（音声出力装置２の処理）
図２は、本実施形態に係る音声出力装置２の処理を示すフローチャートである。音声出力装置２の電源スイッチがオンに投入されると、音声出力装置２の処理が開始される。
【００１７】
音声出力装置２が処理を行う契機となるイベントには、第１のイベント、第２のイベント、および、第３のイベントがある。
【００１８】
第１のイベントは、最初に音声出力装置２の電源スイッチがオフからオンに投入されることである。
【００１９】
第２のイベントは、音声出力装置２の電源スイッチがオンの状態におけるイベントである。以下に、第２のイベントの具体例を示す。
【００２０】
・マイク２５を通じて入力された音声の検知
・制御部２２の時計機能を用いた所定時刻の到来
・以前の発話またはコンテンツ再生に関連した情報の検知
第３のイベントは、音声出力装置２が省電力モードの状態におけるイベントである。以下に、第３のイベントの具体例を示す。
【００２１】
・マイク２５を通じたキーワードの取得
・制御部２２の時計機能を用いた所定時刻の到来
なお、キーワードには、ユーザによる呼びかけ（例えば、「もしもし、スピーカ」）等がある。
【００２２】
（ステップＳ２０１）
音声出力装置２の制御部２２は、イベントに応じた発話、及び、コンテンツの再生の少なくとも何れかを行う。制御部２２は、音声処理部２６、および、スピーカ２４を通じて、上記イベントに応じた発話、及び、上記コンテンツの再生の少なくとも何れかに応じた音声を音声出力するか、または、表示装置４に情報を出力する。なお、処理開始時のイベントは第１のイベントであり、ステップＳ２０２の判定結果に応じて実行される場合のイベントは第２のイベントであり、ステップＳ２０７の処理に続いて実行される場合のイベントは第３のイベントである。また、出力のタイミング、出力情報、出力先装置の具体例に関しては、後記する。
【００２３】
（ステップＳ２０２）
制御部２２は、第２のイベントが発生したか否かを判定する。第２のイベントが発生した場合（ステップＳ２０２のＹＥＳ）、制御部２２は、ステップＳ２０１の処理を実行する。第２のイベントが発生していない場合（ステップＳ２０２のＮＯ）、制御部２２は、ステップＳ２０３の判定を実行する。
【００２４】
（ステップＳ２０３）
制御部２２は、ステップＳ２０１の処理を実行してから所定時間が経過したか否かを判定する。所定時間が経過していない場合（ステップＳ２０３のＮＯ）、ステップＳ２０２の判定を再度実行する。所定時間が経過している場合（ステップＳ２０３のＹＥＳ）、ステップＳ２０４の処理を実行する。
【００２５】
（ステップＳ２０４）
制御部２２は、必要に応じて、スピーカ２４を通じて発話を行う。音声出力装置２が省電力モードに移行する前に、制御部２２は、例えば、「今からスタンバイモードになります。」との発話を行ってもよい。
【００２６】
（ステップＳ２０５）
音声出力装置２は、省電力モードに移行する。
【００２７】
（ステップＳ２０６）
制御部２２は、第３のイベント待ちになる。すなわち、制御部２２は、第３のイベントが発生した場合にステップＳ２０７の処理を実行する。
【００２８】
（ステップＳ２０７）
制御部２２は、音声出力装置２を、省電力モードから電源オン状態に移行させる。そして、ステップＳ２０１の処理を実行する。
【００２９】
（出力タイミングの例）
制御部２２による出力タイミングの例を、以下に示す。音声出力装置２は、以下に示すタイミングで情報を出力する。
【００３０】
＜出力タイミングの例：音声出力装置２が契機になるタイミング＞
・制御部２２がユーザによりコンテンツ（楽曲等）が指定されたことを検知した場合。
【００３１】
・制御部２２がコンテンツの再生が終了したことを検知した場合。
【００３２】
・制御部２２がユーザとの会話が終了したことを検知した場合。
【００３３】
・制御部２２がサーバ通信部２１または記憶部２３から再生中の、または再生したコンテンツに関するメタ情報を取得した場合。
【００３４】
・スピーカ２４が発話中またはコンテンツ再生中である場合。
【００３５】
・制御部２２がキーワード待ち状態に遷移した場合。
【００３６】
・制御部２２がキーワードを取得した場合。制御部２２が、例えば、コンテンツ再生の間、または、コンテンツが終了してから所定時間以内に「いいね」、「ええわ〜」、「ないす」等の声を認識して、「いいね」の意味と認識した場合。
【００３７】
・コンテンツ再生の間、音声出力装置２が置かれたテーブルをユーザがトンと叩いて振動センサが反応することによって、制御部２２が「いいね」の意味と認識した場合
・制御部２２がサーバ通信部２１または記憶部２３からコンテンツ関連情報（例えば、放送中のテレビまたはラジオの前メタ情報、後メタ情報）を取得した場合。
【００３８】
・制御部２２がコンテンツの再生と、次のコンテンツの再生との間であることを検知した場合。
【００３９】
・制御部２２が通知情報の緊急度に応じた出力タイミングであることを検知した場合。当該出力タイミングの例を（１）〜（５）に示す。
【００４０】
（１）制御部２２が、音声出力装置２の電源がオフからオンになったことを検知した場合。
【００４１】
（２）制御部２２が、スピーカ２４が動作中であることを検知した場合。
【００４２】
（３）制御部２２が、スピーカ２４の動作が終了したことを検知した場合。
【００４３】
（４）制御部２２が、音声出力装置２がスタンバイ中であることを検知した場合。
【００４４】
（５）制御部２２が、音声出力装置２がスタンバイ移行時（オン＝＞スタンバイ）であることを検知した場合。
【００４５】
・制御部２２が、スピーカ２４がコンテンツ再生の前であることを検知した場合。
【００４６】
・制御部２２がＩｏＴ家電から機器情報を取得した場合。
【００４７】
・制御部２２がサーバ通信部２１または記憶部２３からコンテンツの再生中にコンテンツに関するメタ情報を取得した場合。
【００４８】
なお、前メタ情報は、放送局が事前に作成した、番組に関するメタ情報であり、例えば、当該番組の概要、テーマ、出演者等を含む情報である。また、後メタ情報は、番組の放送中又は放送後に生成されたメタ情報であり、例えば、当該番組にて紹介された商品等のメタ情報を、業者が手入力で生成したものである。
＜出力タイミングの例：周辺機器が契機になるタイミング＞
・制御部２２が、周辺機器において所定のイベントが発生したことを検知した場合。
【００４９】
・制御部２２が、周辺機器がメタ情報を取得したことを検知した場合。
【００５０】
・制御部２２が、表示装置４が後メタ情報を取得したことを検知した場合。
【００５１】
・制御部２２が、表示装置４の電源がオン、オフしたことを検知した場合。
【００５２】
・制御部２２が、表示装置４が音声出力装置２から情報を取得したことを検知した場合。
【００５３】
（出力情報の例）
制御部２２による出力情報の例を、以下に示す。
【００５４】
出力情報には、インターネット上の一般情報、個人の生活習慣情報、他の機器情報（外部機器の情報）、音声出力装置２の使用情報、メタ情報（付加情報、すなわち、前メタ情報、後メタ情報）等がある。
【００５５】
一般情報は、例えば、ニュース、交通情報、株価、日々の検索結果、料理レシピ、気象情報（温度、湿度、気圧、花粉、ＰＭ２．５、黄砂等）等である。
【００５６】
生活習慣情報は、例えば、毎日の生活（起床、食事、散歩、仕事、買物、就寝）、スケジュール（旅行、出張、ゴミの日、イベント、来客）等である。
【００５７】
機器情報は、例えば、テレビ、冷蔵庫、洗濯機等の家電の利用状況（使用タイミング、使用サイクル、動作終了）である。
【００５８】
ＩｏＴ家電からの情報には、例えば、情報発信源のＩｏＴ家電を示す情報（「冷蔵庫からのお知らせです」等）が含まれる。
【００５９】
音声出力装置２の使用情報は、例えば、音楽の嗜好（いつどんな曲をどのくらい聴いたか）、情報の嗜好（いつどんな情報を欲したか）、機器操作情報（他の機器をいつどのように使ったか）等である。
【００６０】
メタ情報は、例えば、音楽（歌手名、アルバム名、ジャンル、年代、売れ行き、タイアップ情報）、テレビ、ラジオ等の放送に関するリアルタイムの情報および今後の情報である。
【００６１】
スピーカ２４が発話する内容には、時間、天気、他の家電機器の状態に応じた、音楽・情報のレコメンド、指定されたコンテンツに合わせた一言メッセージ、再生したコンテンツに関する情報からの新たなレコメンドメッセージ、次のユーザ行動へのレコメンド、コンテンツの関連情報、前に再生したコンテンツに関連するコンテンツ（音楽・情報のレコメンド）、「いいね」をしたコンテンツの情報、周囲の機器からの情報等がある。
【００６２】
出力情報には、楽曲の入ったアルバムの情報、音声出力装置２主導の発話、キーワードに応じた発話等がある。重要な情報がある場合には、音声出力装置２は、まず重要な情報を発話してから、キーワードに応答してもよい（例えば、以前の曲の話をしてから、キーワードに応答してもよい）。さらに、タイミングに応じた話題、行動履歴に応じた話題、その他条件に応じた話題、メタ情報の発信源に応じた情報等がある。
【００６３】
出力情報には、テレビ放送、ラジオ放送の前メタ情報、後メタ情報、発話タイミングに関連した発話、再生するコンテンツに付随するメタ情報、メタ情報から類推される情報等がある。
【００６４】
出力情報には、再生対象のコンテンツや放送番組に関連する情報、音声出力装置２が今回再生した曲の情報、音声出力装置２が前回再生した曲の情報、コンテツに関するメタ情報等がある。
【００６５】
出力情報には、音声出力装置２が生成した情報がある。表示装置４は、発話内容と同じ内容を表示してもよいし、音声出力装置２が前回再生した曲の情報等、発話内容と異なる内容を表示してもよい。
【００６６】
（出力形態の例）
情報の出力形態には、音声出力装置２の発話、表示装置４の表示、他の機器（スマートフォン等の端末）の表示等がある。
【００６７】
〔実施例１〕
以下、本実施形態の実施例４について説明する。
【００６８】
本実施例における音声出力装置２は、基本的に図２に示したフローチャートと同様の動作を行うが、より具体的に説明すべき点について以下に記載する。
【００６９】
本実施例に係る音声出力装置２は、音声を出力するスピーカ（音声出力部）２４と、音声出力装置２の状態を取得する状態取得部２２１と、表示装置４に表示させる通知情報を出力するサーバ通信部（通知情報出力部）２１とを備えている。図３は、本実施例に係る制御部２２の機能構成を示すブロック図である。図３に示すように、制御部２２は、状態取得部２２１を備えている。通知情報は、例えば、再生対象のコンテンツ、放送番組等に関連する情報である。
【００７０】
サーバ通信部２１は、図２のステップＳ２０２において状態取得部２２１が取得した、音声出力装置２の状態に応じたタイミングにより、制御部２２が指示することにより、図２のステップＳ２０１において説明したように表示装置４に情報を出力する。ここで、本実施例では、図２のステップＳ２０２における「第２のイベント」は、状態取得部２２１が音声出力装置２の状態を取得したことである。また、図２のステップＳ２０１における「情報」は、表示装置４に表示させる通知情報である。サーバ通信部２１は、取得した音声出力装置２の状態に応じたタイミングで、表示装置４が通知情報を表示するように通知情報を表示装置４に出力する。
【００７１】
この場合、サーバ通信部２１は、サーバ３を介して、通知情報を表示装置４に送信する。表示装置４は、サーバ３を介して、音声出力装置２から通知情報を受信して、当該通知情報を表示する。通知情報の表示は、表示装置４のブラウザ機能等により行われる。
【００７２】
なお、表示装置通信部２７が、直接的に通知情報を表示装置４に出力してもよい。この場合、表示装置４は、音声出力装置２から直接的に通知情報を受信して、当該通知情報を表示する。
【００７３】
音声出力装置２において、表示装置４の制御信号を出力する表示装置通信部（制御信号出力部）２７をさらに備え、表示装置通信部２７は、表示装置４の画面が非表示である場合に、表示装置４に画面表示を開始させる制御信号を出力してもよい。
【００７４】
状態取得部２２１は、音声出力装置２の状態として、コンテンツ（楽曲）の指定、コンテンツの再生時、発話中、コンテンツ関連情報（放送中のテレビやラジオの前メタ情報、後メタ情報）の取得等の状態を取得する。また、状態取得部２２１は、人を検知した状態、または、人を検知しない状態を取得してもよい。
【００７５】
例えば、制御部２２は、ユーザにより楽曲が指定されたときに、楽曲を再生しながら、楽曲に関する情報を表示装置４に出力する。また、音声出力装置２において、コンテツ再生中、かつ、コンテツ関連情報を取得した場合、制御部２２は、コンテツ関連情報を表示装置４に出力する。さらに、制御部２２は、表示装置４の電源がオフの場合に、当該電源をオンしてから、通知情報を表示装置４に出力する。なお、音声出力装置２は、表示部を備えている場合に、当該表示部に通知情報を表示してもよい。
【００７６】
なお、音声出力装置２と、表示装置４とが直接的に通信する構成（以下、「構成Ａ」と呼ぶ）においては、表示装置４は、自身で人を検知した場合に、音声出力装置２から取得した情報を表示してもよい。
【００７７】
上記の構成Ａによれば、表示装置４は、音声出力装置２と直接的に通信することにより、音声出力装置２との間の距離を測定することができる。
【００７８】
表示装置４は、例えば、ＢＬＥ（Bluetooth Low Energy）に対応可能な、ＰＸＰ（Proximity Profile）、ビーコン等の機能を用いることにより、機器間の接続、非接続だけでなく、電波強度に応じて、音声出力装置２との間のおおよその距離を特定することができる。表示装置４は、Bluetooth（登録商標）を用いることにより、音声出力装置２との間の距離を安価に測定することができる。
【００７９】
そして、表示装置４は、測定した距離を用いることにより、音声出力装置２が表示装置４の付近、もしくは、表示装置４と同じ部屋にあるのか、または、音声出力装置２が表示装置４から遠く離れている、もしくは、表示装置４とは別の部屋にあるのかを判定することができる。さらに、表示装置４は、当該判定した結果に応じて、自身のセンサで人を検知した場合の処理を適宜変更することができる。このような表示装置４は、音声出力装置２がバッテリー等を搭載して、モバイル機器として動作する場合に、顕著な効果を奏する。
【００８０】
例えば、表示装置４は、音声出力装置２が表示装置４の付近にあると判定した場合、音声出力装置２の利用者も表示装置４の付近にいると認識する。この場合、表示装置４は、自身のセンサで人を検知したとき、音声出力装置２から取得した通知情報を表示してもよい。
【００８１】
また、表示装置４は、音声出力装置２の人検知機能の一端を担うことも考えられる。すなわち、音声出力装置２の人検知部２９が人を検知できなかった場合に、表示装置４が人を検知したときに、音声出力装置２を動作させるようにしてもよい。
【００８２】
一方、表示装置４は、音声出力装置２が表示装置４から遠くにあると判定した場合、音声出力装置２の利用者も表示装置４から遠くにいると認識する。この場合、表示装置４は、自身のセンサで人を検知したとき、その人は音声出力装置２の利用者ではないと判断して、音声出力装置２から取得した通知情報を表示せず、本来のコンテンツを表示するようにしてもよい。
【００８３】
なお、音声出力装置２と、表示装置４とが直接的に通信せず、インターネットを介して通信する構成においても、表示装置４は、自身で人を検知した場合に、音声出力装置２から取得した情報を表示してもよい。
【００８４】
表示装置４は、音声出力装置２から通知情報を取得した場合、表示装置４の画面表示を開始したときには、当該画面の全体を用いて通知情報を表示する。また、表示装置４は、音声出力装置２から通知情報を取得した場合、表示装置４の画面表示中であるときには、当該画面の一部を用いて通知情報を表示する。
【００８５】
図４は、本実施例に係る表示装置４における、情報の表示形態を示す図である。図４（ａ）は、表示装置４の電源がオフの場合の表示形態を示す。図４（ｂ）は、表示装置４の電源がオンの場合の表示形態を示す。
【００８６】
表示装置４の電源がオフの場合には、表示装置４は、音声出力装置２の指示に従って、電源をオンにする。その後、図４（ａ）に示すように、表示装置４は、画面全体を用いて、音声出力装置２から受信した通知情報を表示する。この場合、ユーザが視聴していないので、画面全体を用いて通知情報を表示することにより、ユーザに明確に通知を行うことができる。
【００８７】
表示装置４の電源がオンの場合には、図４（ｂ）に示すように、表示装置４は、画面の一部を用いて、音声出力装置２から受信した通知情報を表示する。この場合、ユーザが視聴中なので、画面の一部を用いて通知情報を表示することにより、ユーザの視聴を妨げることなく、通知を行うことができる。
【００８８】
なお、表示装置４の電源がオフの場合に、表示装置４は、自身で人を検知したときに、自身の電源をオンにして、音声出力装置２から取得した情報を表示してもよい。表示装置４の電源がオンの場合に、表示装置４は、自身で人を検知したときに、音声出力装置２から取得した情報を表示してもよい。上記によれば、表示装置４は、人が近付いた場合に、電源のオン、オフに関わらず、音声出力装置２からから取得した情報を表示する。これにより、音声出力装置２が動作中であることを通知することができ、音声出力装置２がコンテンツの再生中であっても、音声出力装置２から取得した、再生中のコンテンツに関する情報等を通知することができる。
【００８９】
〔実施例２〕
以下、本実施形態の実施例２について説明する。本実施例は、実施例１に適用される実施例である。
【００９０】
音声出力装置２は、スピーカ２４が出力する音声に関する関連情報を記憶する記憶部と、ユーザの反応を示すユーザ反応情報を取得する取得部と、取得部が取得したユーザの反応に応じて反応タイミングを特定し、特定した反応タイミングに応じて、上記記憶部に記憶された関連情報から、出力すべき関連情報を抽出する抽出部と、をさらに備えていてもよい。この場合、表示装置通信部２７は、抽出部が抽出した関連情報を通知情報として表示装置４に出力する。
【００９１】
例えば、音声出力装置２において、制御部２２が楽曲の再生の間、または、楽曲の再生が終了してから所定時間以内に「いいね」、「ええわ〜」、「ないす」等の声を認識して、「いいね」の意味と認識した場合に、表示装置通信部２７が当該楽曲の関連情報を表示装置４に出力してもよい。
【００９２】
また、音声出力装置２において、楽曲の再生の間に、ユーザが音声出力装置２をトンと叩いて、振動センサが反応した結果、制御部２２が「いいね」の意味と認識した場合に、表示装置通信部２７が当該楽曲の関連情報を表示装置４に出力してもよい。
【００９３】
表示装置４は、通知情報を表示する場合に、事前に通知情報に行われた重み付けに従って、通知情報の表示順序または表示個数を決定してもよい。表示装置４は、例えば、通知情報の重み付けに応じて、表示の順序を変えてもよいし、最も重要な１個の通知情報を表示してもよい。音声出力装置２が、表示装置４に通知情報を送信する際に、優先度の情報を併せて送信することにより、表示装置４における表示態様を変えてもよい。
【００９４】
表示装置４は、通知情報を表示する場合に、表示する時間帯またはユーザの行動履歴を参照して、通知情報の表示時間長を決定してもよい。例えば、平日の朝は、ユーザが忙しいので、表示装置４は、表示を短めに行ってもよい。一方、ユーザに予定のない土曜日、日曜日は、ユーザに時間的余裕があるので、表示装置４は、表示を長めに行ってもよい。
【００９５】
表示装置４は、通知情報の情報源は複数存在し、当該情報源に応じた表示態様にて通知情報を表示してもよい。例えば、再生中のコンテンツに関するメタ情報を表示する場合に、表示装置４は、当該メタ情報の発信者、発信サイト等を特定可能な出力形態（表示の追加、色、形、デザイン等）により、当該メタ情報を出力してもよい。
【００９６】
〔実施形態１の効果〕
本実施形態によれば、音声出力装置２の状態に応じて、表示装置４が音声出力装置２からの通知情報を適切なタイミングで表示するため、ユーザにとって利便性が向上する。
【００９７】
〔ソフトウェアによる実現例〕
音声出力装置２の制御ブロック（制御部２２内の状態取得部２２１）は、集積回路（ＩＣチップ）等に形成された論理回路（ハードウェア）によって実現してもよいし、ソフトウェアによって実現してもよい。
【００９８】
後者の場合、音声出力装置２は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９９】
〔まとめ〕
本発明の態様１に係る音声出力装置（２）は、音声を出力する音声出力部（スピーカ２４）と、当該音声出力装置の状態を取得する状態取得部（２２１）と、表示装置（４）に表示させる通知情報を出力する通知情報出力部（表示装置通信部２７）とを備え、上記通知情報出力部が、上記状態取得部が取得した当該音声出力装置の状態に応じたタイミングで上記表示装置が上記通知情報を表示するように上記通知情報を上記表示装置に出力する。
【０１００】
上記の構成によれば、音声出力装置において、通知情報を適切なタイミングで表示装置に出力することができる。
【０１０１】
本発明の態様２に係る音声出力装置は、上記態様１において、上記表示装置の制御信号を出力する制御信号出力部（表示装置通信部２７）をさらに備え、上記制御信号出力部が、上記表示装置の画面が非表示である場合に、上記表示装置に画面表示を開始させる制御信号を出力することとしてもよい。
【０１０２】
上記の構成によれば、音声出力装置が通知情報を表示装置に出力する場合に、表示装置の画面が非表示であっても、画面表示を開始させることができる。
【０１０３】
本発明の態様３に係る音声出力装置は、上記態様１または２において、上記音声出力部が出力する音声に関する関連情報を記憶する記憶部（２３）と、ユーザの反応を示すユーザ反応情報を取得する取得部と、上記取得部が取得したユーザの反応に応じて反応タイミングを特定し、特定した反応タイミングに応じて、上記記憶部に記憶された関連情報から、出力すべき関連情報を抽出する抽出部と、をさらに備え、上記通知情報出力部が、上記抽出部が抽出した関連情報を上記通知情報として上記表示装置に出力することとしてもよい。
【０１０４】
上記の構成によれば、表示装置において、ユーザの反応があった関連情報を表示することができる。
【０１０５】
本発明の態様４に係る表示装置は、上記態様１から３における音声出力装置と通信可能な表示装置であって、上記音声出力装置から通知情報を取得した場合、当該表示装置の画面表示を開始したときには、当該画面の全体を用いて上記通知情報を表示し、当該表示装置の画面表示中であるときには、当該画面の一部を用いて上記通知情報を表示する。
【０１０６】
上記の構成によれば、表示装置において、通知情報を適切に表示することができる。
【０１０７】
本発明の態様５に係る表示装置は、上記態様４において、上記通知情報を表示する場合に、事前に上記通知情報に行われた重み付けに従って、上記通知情報の表示順序または表示個数を決定することとしてもよい。
【０１０８】
上記の構成によれば、表示装置において、事前に通知情報に行われた重み付けに従って決定された表示順序または表示個数により、通知情報を表示することができる。
【０１０９】
本発明の態様６に係る表示装置は、上記態様４または５において、上記通知情報を表示する場合に、表示する時間帯またはユーザの行動履歴を参照して、上記通知情報の表示時間長を決定することとしてもよい。
【０１１０】
上記の構成によれば、表示装置において、ユーザの都合に合わせた表示時間長により、通知情報を表示することができる。
【０１１１】
本発明の態様７に係る表示装置は、上記態様４から６において、上記通知情報の情報源は複数存在し、上記情報源に応じた表示態様にて上記通知情報を表示することとしてもよい。
【０１１２】
上記の構成によれば、複数存在する情報源に応じた表示態様にて通知情報を表示するので、情報源を識別可能に表示することができる。
【０１１３】
本発明の各態様に係る音声出力装置は、コンピュータによって実現してもよく、この場合には、コンピュータを上記音声出力装置が備える各部（ソフトウェア要素）として動作させることにより上記音声出力装置をコンピュータにて実現させる音声出力装置の制御プログラム、およびそれを記録したコンピュータ読み取り可能な記録媒体も、本発明の範疇に入る。
【０１１４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１５】
１  情報通知システム
２  音声出力装置
４  表示装置
２１  サーバ通信部（通知情報出力部）
２２  制御部
２４  スピーカ（音声出力部）
２７  表示装置通信部（通知情報出力部、制御信号出力部）
２２１  状態取得部
【図１】
2019144836.tif 000003
【図２】
2019144836.tif 000004
【図３】
2019144836.tif 000005
【図４】
2019144836.tif 000006